(57)【要約】  本発明は、ネービー色又はブラック色を有し、ＡＯＸ非含有である、分散アゾ染料混合物に関する。【特許請求の範囲】
【請求項１】
染料混合物であって、
式（２）の少なくとも１種の染料
【化１】
2016516097.tif 000045
及び
式（３ａ）、（３ｂ）、（３ｃ）、（３ｄ）、及び（３ｅ）の染料からなる群より選択される少なくとも１種の染料、
【化２】
2016516097.tif 000046
【化３】
2016516097.tif 000047
及び
式（４ａ）の１種の染料、
【化４】
2016516097.tif 000048
及び、任意選択で、
式（５ａ）及び（５ｂ）の染料からなる群より選択される少なくとも１種の染料、
【化５】
2016516097.tif 000049
［式中、それぞれ互いに独立して
Ｒ２及びＲ３が、水素、（Ｃ１〜Ｃ４）−アルコキシ、又は（Ｃ１〜Ｃ４）−アルキルであり、
Ｒ４〜Ｒ１１が、（Ｃ１〜Ｃ４）−アルキル、−（ＣＨ２）ｎ−Ｏ−（Ｃ１〜Ｃ４）−アルキル、−（ＣＨ２）ｎ−Ｏ−ＣＯ−（Ｃ１〜Ｃ４）−アルキル、又は−（ＣＨ２）ｎ−ＣＯＯ−（Ｃ１〜Ｃ４）−アルキルであり、
Ｘ１及びＸ２が、ニトロ、シアノ、カルボキシ、又はＣＯ−ＮＲ２Ｒ３であり、
Ｘ３及びＸ４が、水素、シアノ、又はニトロであり、
Ｙ１が、Ｙ２で置換されたフェニル−（ＣＨ２）ｍ−（ここで、Ｙ２は、水素、ニトロ、シアノ、カルボキシ、（Ｃ１〜Ｃ４）−アルキル、又は（Ｃ１〜Ｃ４）−アルコキシである）であり、
ｎが、１、２、３又は４であり、
ｍが、１，２、３又は４である］
を含む染料混合物。
【請求項２】
染料混合物であって、
式（1）の少なくとも１種の染料、
【化６】
2016516097.tif 000050
及び
式（２）の少なくとも１種の染料
【化７】
2016516097.tif 000051
及び
式（３ａ）、（３ｂ）、（３ｃ）、（３ｄ）、及び（３ｅ）の染料からなる群より選択される少なくとも１種の染料、
【化８】
2016516097.tif 000052
及び
式（４ａ）の１種の染料、
【化９】
2016516097.tif 000053
及び、任意選択で、
式（５ａ）及び（５ｂ）の染料からなる群より選択される少なくとも１種の染料、
【化１０】
2016516097.tif 000054
［式中、それぞれ互いに独立して
Ｒ２及びＲ３が、水素、（Ｃ１〜Ｃ４）−アルコキシ、又は（Ｃ１〜Ｃ４）−アルキルであり、
Ｒ４〜Ｒ１１が、（Ｃ１〜Ｃ４）−アルキル、−（ＣＨ２）ｎ−Ｏ−（Ｃ１〜Ｃ４）−アルキル、−（ＣＨ２）ｎ−Ｏ−ＣＯ−（Ｃ１〜Ｃ４）−アルキル、又は−（ＣＨ２）ｎ−ＣＯＯ−（Ｃ１〜Ｃ４）−アルキルであり、
Ｘ１及びＸ２が、ニトロ、シアノ、カルボキシ、又はＣＯ−ＮＲ２Ｒ３であり、
Ｘ３及びＸ４が、水素、シアノ、又はニトロであり、
Ｙ１が、Ｙ２で置換されたフェニル−（ＣＨ２）ｍ−（ここで、Ｙ２は、水素、ニトロ、シアノ、カルボキシ、（Ｃ１〜Ｃ４）−アルキル、又は（Ｃ１〜Ｃ４）−アルコキシである）であり、
ｎが、１、２、３又は４であり、
ｍが、１，２、３又は４である］
を含む染料混合物。
【請求項３】
それぞれ互いに独立して
Ｒ２が、水素、メトキシ、又はメチルであり、
Ｒ３、Ｒ６、及びＲ７が、（Ｃ１〜Ｃ４）−アルキルであり、
Ｒ４及びＲ５が、−（ＣＨ２）ｎ−Ｏ−（Ｃ１〜Ｃ４）−アルキルであり、
Ｒ８〜Ｒ１１が、−（ＣＨ２）ｎ−Ｏ−ＣＯ−−（Ｃ１〜Ｃ４）−アルキル、又は−（ＣＨ２）ｎ−ＣＯＯ−−（Ｃ１〜Ｃ４）−アルキルであり、
Ｘ１、Ｘ２、及びＸ３が、シアノ又はニトロであり、
Ｘ４が、水素であり、
Ｙ１が、Ｙ２で置換されたフェニル−（ＣＨ２）ｍ−（ここで、Ｙ２は、水素、カルボキシ、（Ｃ１〜Ｃ４）−アルキル、又は（Ｃ１〜Ｃ４）−アルコキシである）であり、
ｎが、１又は２であり、
ｍが、１又は２である、
請求項１又は２に記載の染料混合物。
【請求項４】
それぞれ互いに独立して
Ｒ２が、水素であり、
Ｒ３が、メチル又はエチルであり、
Ｒ４及びＲ５が、−（ＣＨ２）ｎ−Ｏ−（Ｃ１〜Ｃ２）−アルキルであり、
Ｒ６及びＲ７が、（Ｃ１〜Ｃ４）−アルキルであり、
Ｒ８及びＲ９が、−（ＣＨ２）ｎ−ＣＯＯ−（Ｃ１〜Ｃ２）−アルキルであり、
Ｒ１０及びＲ１１が、−（ＣＨ２）ｎ−Ｏ−ＣＯ−（Ｃ１〜Ｃ２）−アルキルであり、
Ｘ１、Ｘ２、及びＸ３が、シアノ又はニトロであり、
Ｘ４が、水素であり、
Ｙ１が、−（ＣＨ２）ｍ−フェニルであり、
ｎが、１又は２であり、
ｍが、１又は２である、
請求項１〜３に記載の染料混合物。
【請求項５】
それぞれ互いに独立して
Ｒ２が、水素であり、
Ｒ３が、メチル又はエチルであり、
Ｒ４及びＲ５が、−（ＣＨ２）２−Ｏ−ＣＨ３であり、
Ｒ６及びＲ７が、エチルであり、
Ｒ８及びＲ９が、−（ＣＨ２）ｎ−ＣＯＯ−ＣＨ３であり、
Ｒ１０及びＲ１１が、−（ＣＨ２）−Ｏ−ＣＯ−（Ｃ１〜Ｃ２）−アルキルであり、
Ｘ１、Ｘ２、及びＸ３が、シアノ又はニトロであり、
Ｘ４が、水素であり、
Ｙ１が、−（ＣＨ２）ｍ−フェニルであり、
ｎが、１又は２であり、
ｍが、１又は２である、
請求項１〜４のいずれか１項に記載の染料混合物。
【請求項６】
請求項１〜５のいずれか１項に記載の染料混合物を含む、染色用水溶液。
【請求項７】
ａ）前記染料混合物の成分を混合する工程、
ｂ）工程ａ）で得られた前記混合物を均質化する工程、
を含む、請求項１〜５のいずれか１項に記載の染料混合物を製造するためのプロセス。
【請求項８】
カルボキサミド含有及び／又はヒドロキシル含有材料を染色又は捺染するためのプロセスであって、前記カルボキサミド含有及び／又はヒドロキシル含有材料を、請求項１〜５のいずれか１項に記載の染料混合物及び／又は請求項６に記載の水溶液と接触させる工程を含む、プロセス。
【請求項９】
請求項１〜５のいずれか１項に記載の染料混合物を含む、デジタル織物捺染用インク。
【請求項１０】
合成繊維：ナイロン、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、ウール、有機ウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、及びＬｙｏｃｅｌｌ繊維からなる群より選択される繊維、さらにはそのような繊維のブレンド物を染色するための、請求項１〜５のいずれか１項に記載の染料混合物、及び／又は請求項６に記載の水溶液の使用。
【請求項１１】
化学的及び／又は物理的に結合された形で請求項１〜５のいずれか１項に記載の染料混合物を含む、以下のもの：合成繊維材料、ナイロン材料、ナイロン−６、ナイロン−６．６及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、ウール、有機ウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、並びにＬｙｏｃｅｌｌ繊維からなる群より選択される繊維、さらにはそのような繊維を含むブレンド物。
【発明の詳細な説明】
【技術分野】
【０００１】
本発明は、ネービー色又はブラック色を有する分散アゾ染料混合物に関する。
【背景技術】
【０００２】
分散ＡＯＸ非含有染料については、エコロジー的な理由から、ますます関心が寄せられている。分散ＡＯＸ非含有分散染料、並びにポリエステル及びそれと他の繊維、例えば、セルロース、エラスタン／スパンデックス、ナイロン及びウールとのブレンド物を通常の吸尽染色、連続染色、及び直接捺染技術によって染色するためのそれらの使用は、例えば、特許文献１、特許文献２、又は特許文献３に記載がある。
【０００３】
しかしながら、それらは例えば、ポリエステルでのカラービルドアップ性が不十分であること（良好なカラービルドアップ性は、染浴においてより高い濃度を用いたとき、それに比例してより強い染色を与える、染料の性能によってもたらされる）、又は堅牢性が不満足であることなど、ある種の染着欠陥を有している。
【先行技術文献】
【特許文献】
【０００４】
【特許文献１】独国特許第３０  ０４  ６５５号明細書
【特許文献２】欧州特許第０  ８２７  ９８８号明細書
【特許文献３】独国特許第２６  ２３  ２５１号明細書
【発明の概要】
【発明が解決しようとする課題】
【０００５】
従って、染色したポリエステル又はそれと他の繊維、例えば、セルロース、ナイロン及びウールとのブレンド物に改良された色の深み及び良好な堅牢性の染色を与え、エコロジー的な理由から、ハロゲン置換基を含まない分散染料が必要とされている。
【課題を解決するための手段】
【０００６】
驚くべきことには、これらの問題点は、ある種の染料混合物によって解決することが可能であり、従って本発明は、以下のものを含む混合物を目的としている：
式（１）及び（２）の染料からなる群より選択される少なくとも１種の染料、
【化１】
2016516097.tif 000002
及び
式（３ａ）、（３ｂ）、（３ｃ）、（３ｄ）、及び（３ｅ）の染料からなる群より選択される少なくとも１種の染料、
【化２】
2016516097.tif 000003
及び
式（４ａ）の１種の染料、
【化３】
2016516097.tif 000004
及び、任意選択で、
式（５ａ）及び（５ｂ）の染料からなる群より選択される少なくとも１種の染料、
【化４】
2016516097.tif 000005
式中、それぞれ互いに独立して
Ｒ２及びＲ３が、水素、（Ｃ１〜Ｃ４）−アルコキシ、又は（Ｃ１〜Ｃ４）−アルキルであり、
Ｒ４〜Ｒ１１が、（Ｃ１〜Ｃ４）−アルキル、−（ＣＨ２）ｎ−Ｏ−（Ｃ１〜Ｃ４）−アルキル、−（ＣＨ２）ｎ−Ｏ−ＣＯ−（Ｃ１〜Ｃ４）−アルキル、又は−（ＣＨ２）ｎ−ＣＯＯ−（Ｃ１〜Ｃ４）−アルキルであり、
Ｘ１及びＸ２が、ニトロ、シアノ、カルボキシ、又はＣＯ−ＮＲ２Ｒ３であり、
Ｘ３及びＸ４が、水素、シアノ、又はニトロであり、
Ｙ１が、Ｙ２で置換されたフェニル−（ＣＨ２）ｍ−（ここで、Ｙ２は、水素、ニトロ、シアノ、カルボキシ、（Ｃ１〜Ｃ４）−アルキル、又は（Ｃ１〜Ｃ４）−アルコキシである）であり、
ｎが、１、２、３又は４であり、
ｍが、１，２、３又は４である。
【０００７】
好ましいのは、以下のものを含む染料混合物である：
式（２）の少なくとも１種の染料、
【化５】
2016516097.tif 000006
及び
式（３ａ）、（３ｂ）、（３ｃ）、（３ｄ）、及び（３ｅ）の染料からなる群より選択される少なくとも１種の染料、
【化６】
2016516097.tif 000007
及び
式（４ａ）の１種の染料、
【化７】
2016516097.tif 000008
及び
任意選択で、式（５ａ）及び（５ｂ）の染料からなる群より選択される少なくとも１種の染料、
【化８】
2016516097.tif 000009
式中、それぞれ互いに独立して
Ｒ２及びＲ３が、水素、（Ｃ１〜Ｃ４）−アルコキシ、又は（Ｃ１〜Ｃ４）−アルキルであり、
Ｒ４〜Ｒ１１が、（Ｃ１〜Ｃ４）−アルキル、−（ＣＨ２）ｎ−Ｏ−（Ｃ１〜Ｃ４）−アルキル、−（ＣＨ２）ｎ−Ｏ−ＣＯ−（Ｃ１〜Ｃ４）−アルキル、又は−（ＣＨ２）ｎ−ＣＯＯ−（Ｃ１〜Ｃ４）−アルキルであり、
Ｘ１及びＸ２が、ニトロ、シアノ、カルボキシ、又はＣＯ−ＮＲ２Ｒ３であり、
Ｘ３及びＸ４が、水素、シアノ、又はニトロであり、
Ｙ１が、Ｙ２で置換されたフェニル−（ＣＨ２）ｍ−（ここで、Ｙ２は、水素、ニトロ、シアノ、カルボキシ、（Ｃ１〜Ｃ４）−アルキル、又は（Ｃ１〜Ｃ４）−アルコキシである）であり、
ｎが、１、２、３又は４であり、
ｍが、１，２、３又は４である。
【０００８】
さらにより好ましいのは、以下のものを含む染料混合物である：
式（1）の少なくとも１種の染料、
【化９】
2016516097.tif 000010
及び
式（２）の少なくとも１種の染料、
【化１０】
2016516097.tif 000011
及び
式（３ａ）、（３ｂ）、（３ｃ）、（３ｄ）、及び（３ｅ）の染料からなる群より選択される少なくとも１種の染料、
【化１１】
2016516097.tif 000012
及び
式（４ａ）の１種の染料、
【化１２】
2016516097.tif 000013
及び、任意選択で、
式（５ａ）及び（５ｂ）の染料からなる群より選択される少なくとも１種の染料、
【化１３】
2016516097.tif 000014
式中、それぞれ互いに独立して
Ｒ２及びＲ３が、水素、（Ｃ１〜Ｃ４）−アルコキシ、又は（Ｃ１〜Ｃ４）−アルキルであり、
Ｒ４〜Ｒ１１が、（Ｃ１〜Ｃ４）−アルキル、−（ＣＨ２）ｎ−Ｏ−（Ｃ１〜Ｃ４）−アルキル、−（ＣＨ２）ｎ−Ｏ−ＣＯ−（Ｃ１〜Ｃ４）−アルキル、又は−（ＣＨ２）ｎ−ＣＯＯ−（Ｃ１〜Ｃ４）−アルキルであり、
Ｘ１及びＸ２が、ニトロ、シアノ、カルボキシ、又はＣＯ−ＮＲ２Ｒ３であり、
Ｘ３及びＸ４が、水素、シアノ、又はニトロであり、
Ｙ１が、Ｙ２で置換されたフェニル−（ＣＨ２）ｍ−（ここで、Ｙ２は、水素、ニトロ、シアノ、カルボキシ、（Ｃ１〜Ｃ４）−アルキル、又は（Ｃ１〜Ｃ４）−アルコキシである）であり、
ｎが、１、２、３又は４であり、
ｍが、１，２、３又は４である。
【０００９】
先に述べたような混合物のための好ましい染料、従って、好ましい混合物及び染料混合物もまた存在するが、その中でそれぞれ互いに独立して、以下のようになっているのが好ましい：
Ｒ２が、水素、メトキシ、又はメチルであり、
Ｒ３、Ｒ６、及びＲ７が、（Ｃ１〜Ｃ４）−アルキルであり、
Ｒ４及びＲ５が、−（ＣＨ２）ｎ−Ｏ−（Ｃ１〜Ｃ４）−アルキルであり、
Ｒ８〜Ｒ１１が、−（ＣＨ２）ｎ−Ｏ−ＣＯ−−（Ｃ１〜Ｃ４）−アルキル、又は−（ＣＨ２）ｎ−ＣＯＯ−−（Ｃ１〜Ｃ４）−アルキルであり、
Ｘ１、Ｘ２、及びＸ３が、シアノ又はニトロであり、
Ｘ４が、水素であり、
Ｙ１が、Ｙ２で置換されたフェニル−（ＣＨ２）ｍ−（ここで、Ｙ２は、水素、カルボキシ、（Ｃ１〜Ｃ４）−アルキル、又は（Ｃ１〜Ｃ４）−アルコキシである）であり、
ｎが、１又は２であり、並びに
ｍが、１又は２である。
【００１０】
さらにより好ましいのは、上述の染料混合物であって、その中でそれぞれ互いに独立して、以下の基のものである：
Ｒ２が、水素又はメトキシであり、
Ｒ３が、メチル又はエチルであり、
Ｒ４及びＲ５が、−（ＣＨ２）ｎ−Ｏ−（Ｃ１〜Ｃ２）−アルキルであり、
Ｒ６及びＲ７が、（Ｃ１〜Ｃ４）−アルキルであり、
Ｒ８及びＲ９が、−（ＣＨ２）ｎ−ＣＯＯ−（Ｃ１〜Ｃ２）−アルキルであり、
Ｒ１０及びＲ１１が、−（ＣＨ２）ｎ−Ｏ−ＣＯ−（Ｃ１〜Ｃ２）−アルキルであり、
Ｘ１、Ｘ２、及びＸ３が、シアノ又はニトロであり、
Ｘ４が、水素であり、
Ｙ１が、−（ＣＨ２）ｍ−フェニルであり、
ｎが、１又は２であり、
ｍが、１又は２である。
【００１１】
先に述べた染料混合物であって、その中でそれぞれ互いに独立して、以下のようになっているのが最も好ましい：
Ｒ２が、水素であり、
Ｒ３が、メチル又はエチルであり、
Ｒ４及びＲ５が、−（ＣＨ２）２−Ｏ−ＣＨ３であり、
Ｒ６及びＲ７が、エチルであり、
Ｒ８及びＲ９が、−（ＣＨ２）ｎ−ＣＯＯ−ＣＨ３であり、
Ｒ１０及びＲ１１が、−（ＣＨ２）−Ｏ−ＣＯ−（Ｃ１〜Ｃ２）−アルキルであり、
Ｘ１、Ｘ２、及びＸ３が、シアノ又はニトロであり、
Ｘ４が、水素であり、
Ｙ１が、−（ＣＨ２）ｍ−フェニルであり、
ｎが、１又は２であり、
ｍが、１又は２である。
【００１２】
本発明の染料混合物の染料は公知であり、例えば以下の文献から、公知の手順で調製することができる：欧州特許第０  １６７  ９１３号明細書、独国特許第２７  １５  ３４号明細書、独国特許第２６  １０  ６７５号明細書、国際公開第００／０４０６５６号パンフレット、米国特許第３，９８０，６３４号明細書、欧州特許第０  ０５１  ５６３号明細書、欧州特許第０  ６６７  ３７６号明細書、欧州特許第２  ０３２  ５２４号明細書、独国特許第２９  ３６  ４８９号明細書、欧州特許第０  １６１  ６６５号明細書、欧州特許第０  ４４０  ０７２号明細書、国際公開第０２／０６８５３９号パンフレット、国際公開第０２／０７４８６４号パンフレット、及び国際公開第０４／０４４０５８号パンフレット。
【００１３】
本発明の染料混合物の成分の重量％の範囲は、例えば以下のとおりである：
１：                ０〜６０
２：                ５〜８５
３ａ〜３ｅ：        ５〜４０
４：                ５〜４０
５ａ及び／又は５ｂ：０〜２０。
【００１４】
本発明の染料混合物の成分の重量％の好ましい範囲は、以下のとおりである：
２：                １５〜８０
３ａ〜３ｅ：        ７．５〜３５
４：                ７．５〜３５
５ａ及び／又は５ｂ：０〜１５、
並びに、本発明の染料混合物の成分の重量％のさらにより好ましい範囲は、以下のとおりである：
２：                ３０〜７５
３ａ〜３ｅ：        ５〜３０
４：                ０〜３０
５ａ及び／又は５ｂ：０〜１０、
（以上は、式（1）の染料を含まない染料混合物についてである）。
【００１５】
本発明の染料混合物の成分の重量％の好ましい範囲は、以下のとおりである：
１：                １〜４５
２：                １５〜８０
３ａ〜３ｅ：        ７．５〜３５
４：                ７．５〜３５
５ａ及び／又は５ｂ：０〜１５、
並びに、本発明の染料混合物の成分の重量％のさらにより好ましい範囲は、以下のとおりである：
１：                ５〜３０
２：                ３０〜７５
３ａ〜３ｅ：        ５〜３０
４：                ０〜３０
５ａ及び／又は５ｂ：０〜１０、
（以上は、式（1）の少なくとも１種の染料を含む染料混合物についてである）。
【００１６】
それぞれの染料混合物においては、その成分の１〜５ｂを合計したものが、その染料混合物が上述の染料からなっている場合には１００％となり、例えばシェーディング成分として追加の染料が添加されている場合には、１００％未満となる。そのような場合においては、シェーディング成分の量が、その染料混合物の全部の染料の重量を基準にして、好ましくは１０重量％未満、より好ましくは５重量％未満、最も好ましくは２重量％未満である。
【００１７】
本発明による混合物は、単一の染料を混合することによって得ることができる。
【００１８】
従って、上述の染料混合物を製造するための以下の工程を含むプロセスもまた、本発明の一つの態様を構成する：
ａ）染料混合物の成分を混合する工程、
ｂ）工程ａ）で得られた混合物を均質化する工程。
【００１９】
一般的には、好ましい３種の可能性が存在している：
１）ａ）必要とされる式（１）〜（５）の成分を分散剤と混合する工程、
ｂ）工程ａ）で得られた混合物を均質化及び摩砕する工程、
ｃ）工程ｂ）で得られた摩砕された混合物を噴霧乾燥させる工程。
２）別な方法として、（１）〜（５）の単一成分をすべて、上記の１）のａ）〜ｃ）での説明に従って処理することが可能であり、
次いで、それぞれの工程ｃ）で配合された式（１）〜（５）の成分を乾燥成分として混合することができる。
３）また別な方法として、両方のプロセスを組み合わせることも可能であり、その場合、式（１）〜（５）のメインの成分をプロセス１）のａ）及びｂ）に従って処理し、式（１）〜（５）のマイナーな成分をプロセス２）のａ）、ｂ）及びｃ）に従って処理した乾燥粉末として、メインの成分のスラリーに添加することが可能であり、次いでそのようにして得られた混合物全体を噴霧乾燥させる。
【００２０】
カルボキサミド及び／又はヒドロキシル含有材料を、上述の染料混合物及び／又は上述の水溶液と接触させることを含む、カルボキサミド及び／又はヒドロキシル含有材料を染色又は捺染するためのプロセスも、本発明のさらに別な態様を構成する。
【００２１】
本発明の染料混合物を染色に使用する場合、その染料混合物を、常法に従って分散剤及び湿潤剤の手段を使用して水性媒体中に分散させて、染色のための染浴又は織物捺染のための捺染糊を調製する。
【００２２】
分散剤の典型的な例としては、リグノスルホン酸塩、ナフタレンスルホン酸／ホルムアルデヒド縮合物及びフェノール／クレゾール／スルファニル酸／ホルムアルデヒド縮合物が挙げられ、湿潤剤の典型的な例としては、スルホン化又はリン酸化されていてもよいアルキルアリールエトキシレートが挙げられ、存在させてもよいその他の成分の典型的な例としては、無機塩、鉱油又はノナノールのような制塵剤、有機液体及び緩衝剤が挙げられる。分散剤は、染料混合物の重量を基準にして、３０〜５００％の量で存在させるのがよい。制塵剤は、染料混合物の重量を基準にして、０〜５％の量で使用するのがよい。
【００２３】
例えば、ポリエステル繊維並びに繊維混合物製品例えば、ポリエステル繊維を含む交織織物製品の混合糸織布を染色する場合には、それらの繊維及び／又は繊維混合物製品は、一般的な染色法、例えば高温染色法、キャリヤー染色法、及びサーモゾル染色法によって、良好な染色堅牢性有するように染色することができる。いくつかの場合においては、染浴に酸性物質を添加することによって、さらにより良好な染色が可能となることもある。
【００２４】
好適なプロセス条件は下記のものから有利には選択することができる。
（ｉ）吸尽染色では、ｐＨが４〜８．５、圧力１〜２バール、温度１２５〜１４０℃で１０〜１２０分、任意選択で金属イオン封鎖剤を添加；
（ｉｉ）連続染色では、ｐＨが４〜８．５、温度１９０〜２２５℃で１５秒〜５分、任意選択で移染防止剤を添加；
（ｉｉｉ）直接捺染では、ｐＨが４〜６．５、高温蒸熱処理ならば、温度１６０〜１８５℃で４〜１５分、あるいは、乾熱を用いたベーク固着ならば、温度１９０〜２２５℃で１５秒〜５分、あるいは、加圧蒸熱処理ならば、温度１２０〜１４０℃、１〜２バールで１０〜４５分、任意選択で湿潤剤及び増粘剤（例えばアルギネート）を染料混合物を基準にして５〜１００重量％添加；
（ｉｖ）抜染（織物材料の上に染料混合物をパジングし、乾燥し、且つオーバープリントすることによる）では、ｐＨが４〜６．５、任意選択で移染防止剤及び増粘剤を添加；
（ｖ）キャリヤー染色では、ｐＨが４〜７．５、温度９５〜１００℃で、キャリヤーとして例えばメチルナフタレン、ジフェニルアミン又は２−フェニルフェノールを使用し、任意選択で金属イオン封鎖剤を添加；並びに、
（ｖｉ）アセテート、トリアセテート及びナイロンの常圧染色では、ｐＨが４〜７．５、アセテートの場合は温度約８５℃、トリアセテート及びナイロンの場合には温度約９０℃で１５〜９０分、任意選択で金属イオン封鎖剤を添加する。
【００２５】
上記のプロセスいずれの場合においても、染料混合物は、水性媒体中に染料混合物を０．００１〜２０％、好ましくは０．００５〜１６％含む分散体として適用する。
【００２６】
上述の染料混合物を含む染色用水溶液も、本発明のまた別な態様を構成する。
【００２７】
上述の染着方法に加えて、合成織物材料及び繊維ブレンド物に染料混合物をインクジェット捺染によって染着することも可能であるが、その際任意選択で、捺染に役立つような予備処理を基材にしておいてもよい。インクジェット染着の場合、その染着媒体には、水及び水溶性有機溶媒を、重量比で、１：９９〜９９：１、より好ましくは１：９５〜２：１、特には１：９０〜１：１の範囲で含んでいてもよい。好ましい水溶性有機溶媒としては、Ｃ１〜Ｃ４−アルカノール、特にメタノール又はエタノール、ケトン、特にアセトン又はメチルエチルケトン、２−ピロリドン又はＮ−メチルピロリドン、グリコール、特にエチレングリコール、プロピレングリコール、トリメチレングリコール、ブタン−２，３−ジオール、チオジグリコール又はジエチレングリコール、グリコールエーテル、特にエチレングリコールモノメチルエーテル、プロピレングリコールモノメチルエーテル又はジエチレングリコールモノメチルエーテル、尿素、スルホン、特にビス−（２−ヒドロキシエチル）スルホン、又はそれらの混合物などが挙げられる。
【００２８】
上述のような染料混合物を含む、デジタル織物捺染用インクは、本発明のまた別な態様である。
【００２９】
本発明の染料混合物は、超臨界二酸化炭素を使用して織物材料に適用することも可能であるが、その場合には染料配合剤を任意に省略することができる。
【００３０】
本発明のまた別な態様は、以下のものからなる群より選択される繊維、さらにはそのような繊維のブレンド物を染色するための、上述の染料混合物及び／又は上述の水溶液の使用である：合成繊維：ナイロン、ナイロン−６、ナイロン−６．６、及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、ウール、有機ウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、並びにＬｙｏｃｅｌｌ繊維。
【００３１】
従って、先に述べた染料を化学的及び／又は物理的に結合された形で含む、以下のものからなる群より選択される繊維、さらにはそのような繊維を含むブレンド物も、本発明のまた別な態様である：合成繊維材料、ナイロン材料、ナイロン−６、ナイロン−６．６及びアラミド繊維、植物繊維、種子繊維、綿、有機綿、カポック、ヤシ殻からのコイア；靱皮繊維、亜麻、大麻、ジュート、ケナフ、ラミー、籐；葉繊維、サイザル麻、ヘネケ麻、バナナ；茎繊維、竹；動物由来の繊維、ウール、有機ウール、絹、カシミヤウール、アルパカ繊維、モヘア、アンゴラ繊維、さらには毛皮及び皮革材料；人造、再生、及びリサイクル繊維、セルロース系繊維；紙繊維、セルロース系再生繊維、ビスコースレーヨン繊維、アセテート及びトリアセテート繊維、並びにＬｙｏｃｅｌｌ繊維。
【００３２】
本発明の染料混合物を用いて染色するのに特に好ましい織物材料は、芳香族ポリエステル、又はそれと上述の繊維又はブレンド材料との繊維ブレンド物である。特に好ましい繊維ブレンド物としては、ポリエステル−綿のようなポリエステル−セルロース、及びポリエステル−ウールなどが挙げられる。織物材料又はそのブレンド物は、フィラメント、ばら繊維（ｌｏｏｓｅ  ｆｉｂｒｅｓ）、糸又は、織布若しくは編み物などの形態をとっているのがよい。
【００３３】
具体的には、ポリエステル繊維の中でも、通常のポリエステル繊維（普通デニール繊維）だけでなく、ミクロ繊維（極細デニール繊維、０．６デニール未満のもの）も、本発明の染料混合物を用いて満足のいくレベルに染色することが可能な繊維として挙げられる。
【００３４】
以下の実施例を用いて本発明をさらに説明するが、それらが本発明の範囲を限定する訳ではない。部及びパーセントは、特に記さない限り、重量によるものである。重量部の容積部に対する関係は、キログラムのリットルに対する関係と同じである。
【実施例】
【００３５】
実施例１
１０部の式（１−１）の染料を、
【化１４】
2016516097.tif 000015
４５部の式（２−１）の染料と混合し、
【化１５】
2016516097.tif 000016
２０部の式（３ａ−１）の染料粉体と混合し、
【化１６】
2016516097.tif 000017
１５部の式（４−１）の染料粉体と混合し、
【化１７】
2016516097.tif 000018
１０部の式（５ｂ−１）の染料粉体と混合した。
【化１８】
2016516097.tif 000019
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物及び捺染物を与える。
【００３６】
実施例２
１３部の式（１−２）の染料を、
【化１９】
2016516097.tif 000020
４５部の式（２−２）の染料と混合し、
【化２０】
2016516097.tif 000021
２０部の式（３ｂ−１）の染料粉体と混合し、
【化２１】
2016516097.tif 000022
２２部の式（４−２）の染料粉体と混合した。
【化２２】
2016516097.tif 000023
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物及び捺染物を与える。
【００３７】
実施例３
９部の式（１−３）の染料を、
【化２３】
2016516097.tif 000024
３６部の式（２−３）の染料と混合し、
【化２４】
2016516097.tif 000025
２０部の式（３ｃ−１）の染料粉体と混合し、
【化２５】
2016516097.tif 000026
２５部の式（４）の染料粉体と混合し、
【化２６】
2016516097.tif 000027
１０部の式（５ａ）の染料粉体と混合した。
【化２７】
2016516097.tif 000028
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物又は捺染物を与える。
【００３８】
実施例４
１２部の式（１−２）の染料を、
【化２８】
2016516097.tif 000029
３６部の式（２−１）の染料と混合し、
【化２９】
2016516097.tif 000030
２０部の式（３ｄ−１）の染料粉体と混合し、
【化３０】
2016516097.tif 000031
３２部の式（４−４）の染料粉体と混合した。
【化３１】
2016516097.tif 000032
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物及び捺染物を与える。
【００３９】
実施例５
５部の式（１−３）の染料を、
【化３２】
2016516097.tif 000033
７８部の式（２−３）の染料と混合し、
【化３３】
2016516097.tif 000034
１０部の式（３ｄ−１）の染料粉体と混合し、
【化３４】
2016516097.tif 000035
５部の式（４）の染料粉体と混合し、
【化３５】
2016516097.tif 000036
２部の式（５ａ）の染料粉体と混合した。
【化３６】
2016516097.tif 000037
そのようにして得られた本発明の染料混合物を、分散剤を使用して配合し、噴霧乾燥により乾燥させると、分散染料に典型的な染色条件下では、例えばポリエステル又はポリエステルブレンド物の上に、極めて濃いネービー色の染色物又は捺染物を与える。
【００４０】
実施例６
１０部の式（１−２）の染料を、
【化３７】
2016516097.tif 000038
７０部の式（２−１）の染料と混合し、
【化３８】
2016516097.tif 000039
１５部の式（３ｅ−１）の染料粉体と混合し、
【化３９】
2016516097.tif 000040
５部の式（４−４）の染料粉体と混合した。
【化４０】
2016516097.tif 000041
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いネービー色の染色物及び捺染物を与える。
【００４１】
次の表の実施例はすべて、分散剤及び制塵剤を使用し、先に説明した配合に従って調製したものである。
【００４２】
【表１】
2016516097.tif 000042
【００４３】
【表２】
2016516097.tif 000043
【００４４】
【表３】
2016516097.tif 000044
【手続補正書】
【提出日】平成27年11月5日(2015.11.5)
【手続補正１】
【補正対象書類名】明細書
【補正対象項目名】００３７
【補正方法】変更
【補正の内容】
【００３７】
実施例３
９部の式（１−３）の染料を、
【化２３】
2016516097.tif 000055
３６部の式（２−３）の染料と混合し、
【化２４】
2016516097.tif 000056
２０部の式（３ｃ−１）の染料粉体と混合し、
【化２５】
2016516097.tif 000057
２５部の式（４−３）の染料粉体と混合し、
【化２６】
2016516097.tif 000058
１０部の式（５ａ−１）の染料粉体と混合した。
【化２７】
2016516097.tif 000059
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物又は捺染物を与える。
【手続補正２】
【補正対象書類名】明細書
【補正対象項目名】００３８
【補正方法】変更
【補正の内容】
【００３８】
実施例４
１２部の式（１−４）の染料を、
【化２８】
2016516097.tif 000060
３６部の式（２−４）の染料と混合し、
【化２９】
2016516097.tif 000061
２０部の式（３ｄ−１）の染料粉体と混合し、
【化３０】
2016516097.tif 000062
３２部の式（４−４）の染料粉体と混合した。
【化３１】
2016516097.tif 000063
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いブラック色の染色物及び捺染物を与える。
【手続補正３】
【補正対象書類名】明細書
【補正対象項目名】００３９
【補正方法】変更
【補正の内容】
【００３９】
実施例５
５部の式（１−３）の染料を、
【化３２】
2016516097.tif 000064
７８部の式（２−３）の染料と混合し、
【化３３】
2016516097.tif 000065
１０部の式（３ｄ−１）の染料粉体と混合し、
【化３４】
2016516097.tif 000066
５部の式（４−３）の染料粉体と混合し、
【化３５】
2016516097.tif 000067
２部の式（５ａ−２）の染料粉体と混合した。
【化３６】
2016516097.tif 000068
そのようにして得られた本発明の染料混合物を、分散剤を使用して配合し、噴霧乾燥により乾燥させると、分散染料に典型的な染色条件下では、例えばポリエステル又はポリエステルブレンド物の上に、極めて濃いネービー色の染色物又は捺染物を与える。
【手続補正４】
【補正対象書類名】明細書
【補正対象項目名】００４０
【補正方法】変更
【補正の内容】
【００４０】
実施例６
１０部の式（１−５）の染料を、
【化３７】
2016516097.tif 000069
７０部の式（２−５）の染料と混合し、
【化３８】
2016516097.tif 000070
１５部の式（３ｅ−１）の染料粉体と混合し、
【化３９】
2016516097.tif 000071
５部の式（４−４）の染料粉体と混合した。
【化４０】
2016516097.tif 000072
そのようにして得られた染料混合物を、分散剤を使用して配合し、噴霧乾燥により乾燥させると、分散染料に典型的な染色条件下では、例えばポリエステル又はポリエステルブレンド物の上に、極めて濃いネービー色の染色物及び捺染物を与える。
【国際調査報告】
2016516097.tif 000073
2016516097.tif 000074
2016516097.tif 000075
2016516097.tif 000076